(57)【要約】【課題】  乗客をエレベーターまで誘導する手段を備えたエレベーター乗場案内表示装置を提供する。【解決手段】  複数のエレベーターが発着するエレベーターホールに設けられたエレベーター乗場案内表示装置１であって、複数のエレベーターの配置（号機表示プレート５ａ〜５ｃで示される。）、乗客の現在位置（自位置表示灯４によって示される。）、現在位置から複数のエレベーターに伸びる誘導ライン（誘導灯６ａ〜６ｅによって構成される。）が示されたエレベーターホール案内図３、エレベーターを呼び出す際に操作する呼び出しボタン２ａ、２ｂを備え、呼び出しボタン２ａまたは２ｂが操作されると、エレベーターホール案内図３の現在位置から、呼び出されたエレベーターまでに位置する誘導ラインが選択的に点灯するように構成する。【選択図】図１
2005154023.tif 000002
【特許請求の範囲】
【請求項１】
複数のエレベーターが発着するエレベーターホールに設けられたエレベーター乗場案内表示装置であって、上記複数のエレベーターの配置、乗客の現在位置、上記現在位置から上記複数のエレベーターに伸びる誘導ラインが示されたエレベーターホール案内図、上記エレベーターを呼び出す際に操作する呼び出しボタンを備え、上記呼び出しボタンが操作されると、上記エレベーターホール案内図の現在位置から、呼び出された上記エレベーターまでに位置する上記誘導ラインが選択的に点灯することを特徴とするエレベーター乗場案内表示装置。
【請求項２】
上記誘導ラインは、上記エレベーターホールに到着する上記エレベーターの運転方向によって点灯色を変えて表示されることを特徴とする請求項１記載のエレベーター乗場案内表示装置。
【発明の詳細な説明】
【技術分野】
【０００１】
この発明は、複数のエレベーターが発着するエレベーターホールに設けられ、乗客をエレベーターに誘導するためのエレベーター乗場案内表示装置に関するものである。
【背景技術】
【０００２】
従来のエレベーターホールの誘導灯は、エレベーターホールの床面に、各エレベーターに伸びる点灯ラインを設け、エレベーターホールに最初に到着するエレベーターまでの点灯ラインを点灯させて乗客を誘導するように構成した例が示されている（例えば、特許文献１参照。）。
【０００３】
【特許文献１】特開平７−１５７２１５号公報
【発明の開示】
【発明が解決しようとする課題】
【０００４】
従来からの、乗客をエレベーターに誘導するための機能としては、到着予報灯および号機表示灯付きの乗場ボタン（呼び出しボタン。）がある。到着予報灯はエレベーターの乗場に近接して設置され、到着が予報されたエレベーターと連動している光源が表示体を介して点灯し、乗客に到着を知らせてエレベーターの前に誘導する。また、号機表示灯は、乗場ボタンが押されると、到着が予想される号機番号を表示し、乗客をエレベーターの前に誘導するというものである。
しかし、到着予報灯の場合、到着予報灯自体の機能をすべての乗客が理解しておらず、また到着予報灯自体が発見し難いという問題を有していた。号機表示灯の場合においても、表示された号機番号がどの位置のエレベーターに相当するのかを把握し難いという問題を有していた。
【０００５】
この発明は、上記のような問題点を解消するためになされたもので、乗客が容易に到着するエレベーターを発見し、且つ、運転方向が一目で解り、運行効率を上げることが可能な誘導機能を備えたエレベーター乗場案内表示装置を提供することを目的とする。
【課題を解決するための手段】
【０００６】
この発明に係わるエレベーター乗場案内表示装置は、複数のエレベーターが発着するエレベーターホールに設けられ、上記複数のエレベーターの配置、乗客の現在位置、上記現在位置から上記複数のエレベーターに伸びる誘導ラインが示されたエレベーターホール案内図、上記エレベーターを呼び出す際に操作する呼び出しボタンを備え、上記呼び出しボタンが操作されると、上記エレベーターホール案内図の現在位置から、呼び出された上記エレベーターまでに位置する上記誘導ラインが選択的に点灯するものである。
【発明の効果】
【０００７】
この発明のエレベーター乗場案内表示装置によれば、呼び出しボタンが設けられた同装置に、エレベーターホール案内図を示したことで、乗客によるエレベーターの配置把握が容易であり、現在位置から呼び出されたエレベーターまでの誘導ラインを選択的に点灯させることで、容易に乗客をエレベーターまで誘導することが可能となり、エレベーターの運行効率を向上させることができる。
【発明を実施するための最良の形態】
【０００８】
実施の形態１．
図１〜図３を用いて、この発明の実施の形態１によるエレベーター乗場案内表示装置について説明する。
図１は、この発明のエレベーター乗場案内表示装置１の正面図である。このエレベーター乗場案内表示装置１は、例えば、エレベーターホールの壁面に設けられる。図示したように、主表面となる案内表示板１ａには、エレベーターを呼び出すための呼び出しボタン２ａ、２ｂ（２ａは運行方向が上階側、２ｂは下階側。）が設けられ、さらに、エレベーターホール案内図３が示されている。
【０００９】
エレベーターホール案内図３は、複数のエレベーターが配置されたエレベーターホールの平面図を示しており、エレベーターの配置を示す号機表示プレート５ａ〜５ｃ（この場合、エレベーターホールには３機のエレベーターが配置されているものとする。）、乗客の現在位置を示す自位置表示灯４、自位置表示灯４から各エレベーターまで伸びる誘導ラインを構成する複数の誘導灯６ａ〜６ｅが表示されている。
【００１０】
図２は、図１のII−II断面図であり、図示したように、案内表示板１ａの裏面側には、配線ボックス８が形成されており、この配線ボックス８内には、呼び出しボタン２ａ、２ｂの裏面側に、呼び出しボタン２ａ、２ｂを点灯させるための呼び出しボタン光源装置９が設けられている。
【００１１】
図３は、図１のIII−III断面図であり、図示したように、誘導ラインを構成する誘導灯６ｂ、６ｃと、その誘導灯６ｂ、６ｃを点灯させるために案内表示板１ａ裏面側に誘導灯光源装置１０が設けられている。他の誘導灯６ａ、６ｄ、６ｅについても同様の光源が設けられている。呼び出しボタン２ａ、２ｂと誘導灯６ａ〜６ｅは、その裏面側に配置される光源によって点灯するように構成するため、光を通す材質のものを用いる。なお、必要に応じて、号機表示プレート５ａ〜５ｃについても、同様の光源を用いて点灯させるように構成することも可能である。
【００１２】
このように構成されたエレベーター乗場案内表示装置１は、呼び出しボタン２ａまたは２ｂが操作され、呼び出しが登録されるのに連動し、自位置表示灯４が点灯して乗客の現在位置を表示する。また、このエレベーター乗場案内表示装置１とは別に、エレベーターホールに設けられた到着予報灯と連動して、エレベーターホール案内図３の現在位置（自位置表示灯４）から、呼び出されたエレベーター（号機表示プレート５ａ〜５ｃで示すいずれかのエレベーターに相当する。）までに位置する誘導ライン（誘導灯６ａ〜６ｅのうち、誘導経路に該当するもの。）が選択的に点灯する。呼び出されるエレベーターとは、乗客が上階（若しくは下階）へ移動しようとする際に、エレベーターホールに最初に到着する、上階（若しくは下階）へ向うエレベーターである。
【００１３】
例えば、自位置より右側のエレベーター（号機表示プレート５ａに相当するエレベーター。）が到着する場合、誘導灯６ｂおよび６ａが点灯して誘導ラインを示し、乗客に誘導経路を知らせ、そのエレベーターの前まで乗客を誘導する。
【００１４】
このように構成されたエレベーター乗場案内表示装置では、エレベーターを呼ぶための呼び出しボタン２ａ、２ｂの近傍に誘導灯６ａ〜６ｅを配置することで、その誘導灯の存在を乗客に分かりやすく示すとともに、乗客によるエレベーターの配置把握を助け、また到着するエレベーター位置までの経路を誘導ラインで点灯表示して乗客を誘導することができ、運行効率を向上させることができる。
【００１５】
実施の形態２．
上述の実施の形態１においては、誘導灯６ａ〜６ｅを選択的に点灯させて誘導ラインを点灯表示する場合について述べた。この実施の形態２では、誘導ラインを、エレベーターホールに到着するエレベータの運転方向によって点灯色を変えて表示する場合について説明する。
この場合、図３に示した誘導灯６ａ〜６ｅの裏面側に設ける誘導灯光源装置１０を３色ＬＥＤ（Ｌｉｇｈｔ  Ｅｍｉｔｔｉｎｇ  Ｄｉｏｄｅ）とする。
【００１６】
このように構成されたエレベーター乗場案内表示装置１では、エレベーター運転方向に応じて誘導灯６ａ〜６ｅの点灯色を変更して運転方向を表示するようにし、且つ、乗客を誘導ラインに沿ってエレベーター前まで誘導する。
図３において、自位置より左上側のエレベーター（号機表示プレート５ｂで示すエレベーター。）が上階方向、自位置より左下側のエレベーター（号機表示プレート５ｃで示すエレベーター。）が下階方向で呼ばれた場合、誘導灯６ｃはオレンジ色に点灯し、誘導灯６ｄは緑色に点灯し、誘導灯６ｅは赤色に点灯するように構成する。
【００１７】
このように、エレベーターの運転方向を誘導ラインの点灯色を変えて点灯表示することで、乗客が容易に運転方向を判断可能となり、乗り間違いによる不快感を削減し、運行効率を向上させることができる。
【図面の簡単な説明】
【００１８】
【図１】この発明の実施の形態１によるエレベーター乗場案内表示装置の正面図である。
【図２】図１のII−II断面図である。
【図３】図１のIII−III断面図である。
【００１９】
１  エレベーター乗場案内表示装置      １ａ  案内表示板
２ａ、２ｂ  呼び出しボタン            ３  エレベーターホール案内図
４  自位置表示灯                      ５ａ〜５ｃ  号機表示プレート
６ａ〜６ｅ  誘導灯                    ８  配線ボックス
９  呼び出しボタン光源装置          １０  誘導灯光源装置。
【図１】
2005154023.tif 000003
【図２】
2005154023.tif 000004
【図３】
2005154023.tif 000005